【手続補正書】
【提出日】平成28年3月16日(2016.3.16)
【手続補正１】
【補正対象書類名】特許請求の範囲
【補正対象項目名】全文
【補正方法】変更
【補正の内容】
【特許請求の範囲】
【請求項１】
株式銘柄に関する属性情報を記憶する第１の記憶手段と、
利用者に関する情報を取得する取得手段と、
前記利用者に関する情報に含まれる第１の単語を、類義語または派生語に展開し、第２の単語とする展開手段と、
前記利用者に関する情報に含まれる場所に関する単語から第１の位置情報を分析する位置情報分析手段と、
前記第１の単語、前記第２の単語、および前記第１の位置情報に基づいて、前記第１の記憶手段に記憶されている前記属性情報とのマッチングを行い、マッチした前記株式銘柄を推薦する推薦手段と、
を備えることを特徴とする株式銘柄推薦装置。
【請求項２】
前記株式銘柄に関する属性情報は、株主優待情報、前記株式銘柄が所有する製品情報、前記株式銘柄が所有するサービス情報のうち、少なくとも１つを含む
ことを特徴とする請求項１に記載の株式銘柄推薦装置。
【請求項３】
前記推薦手段により推薦された前記株式銘柄の推薦度に対し、重み付けを行う重み付け手段をさらに備える
ことを特徴とする請求項１に記載の株式銘柄推薦装置。
【請求項４】
前記推薦手段により推薦された前記株式銘柄、前記重み付け手段により重み付けされた前記推薦度、および、前記推薦手段により推薦された要因を示す情報の表示を制御する表示制御手段をさらに備える
ことを特徴とする請求項３に記載の株式銘柄推薦装置。
【請求項５】
複数の前記第１の位置情報を結ぶ経路上から、第２の位置情報を分析する経路分析手段をさらに備え、
前記推薦手段は、前記第２の位置情報に基づいて、前記第１の記憶手段に記憶されている前記属性情報とのマッチングをさらに行う
ことを特徴とする請求項１に記載の株式銘柄推薦装置。
【請求項６】
前記利用者に関する情報および、前記推薦手段により推薦された前記株式銘柄を紐付けて記憶する第２の記憶手段をさらに備える
ことを特徴とする請求項１に記載の株式銘柄推薦装置。
【請求項７】
前記推薦手段は、前記第１の記憶手段および前記第２の記憶手段に記憶されている情報に基づいて、前記株式銘柄に関する属性情報をさらに推薦する
ことを特徴とする請求項６に記載の株式銘柄推薦装置。
【請求項８】
株式銘柄に関する属性情報を記憶する記憶手段を備えたコンピュータによる株式銘柄推薦方法であって、
利用者に関する情報を取得する取得ステップと、
前記利用者に関する情報に含まれる第１の単語を、類義語または派生語に展開し、第２の単語とする展開ステップと、
前記利用者に関する情報に含まれる場所に関する単語から位置情報を分析する位置情報分析ステップと、
前記第１の単語、前記第２の単語、および前記位置情報に基づいて、前記記憶手段に記憶されている前記属性情報とのマッチングを行い、マッチした前記株式銘柄を推薦する推薦ステップと、
を含むことを特徴とする株式銘柄推薦方法。
【請求項９】
コンピュータを、
株式銘柄に関する属性情報を記憶する記憶手段、
利用者に関する情報を取得する取得手段、
前記利用者に関する情報に含まれる第１の単語を、類義語または派生語に展開し、第２の単語とする展開手段、
前記利用者に関する情報に含まれる場所に関する単語から位置情報を分析する位置情報分析手段、
前記第１の単語、前記第２の単語、および前記位置情報に基づいて、前記記憶手段に記憶されている前記属性情報とのマッチングを行い、マッチした前記株式銘柄を推薦する推薦手段、
を備える株式銘柄推薦装置として機能させるためのプログラム。
【請求項１０】
サーバと端末とがネットワークを介して接続される株式銘柄推薦システムであって、
前記サーバは、
株式銘柄に関する属性情報を記憶する記憶手段と、
前記端末から送信されてきた、利用者に関する情報を受信する受信手段と、
前記利用者に関する情報に含まれる第１の単語を、類義語または派生語に展開し、第２の単語とする展開手段と、
前記利用者に関する情報に含まれる場所に関する単語から位置情報を分析する位置情報分析手段と、
前記第１の単語、前記第２の単語、および前記位置情報に基づいて、前記記憶手段に記憶されている前記属性情報とのマッチングを行い、マッチした前記株式銘柄を推薦する推薦手段と、を備え、
前記端末は、
前記利用者に関する情報を入力する入力手段と、
前記利用者に関する情報を前記サーバに送信し、前記利用者に関する情報に基づいて前記サーバの前記推薦手段により推薦された前記株式銘柄を受信し、表示する表示手段と、を備える
ことを特徴とする株式銘柄推薦システム。
【手続補正２】
【補正対象書類名】明細書
【補正対象項目名】００１１
【補正方法】変更
【補正の内容】
【００１１】
本発明は、前述した問題点に鑑みてなされたもので、その目的とすることは、利用者に関する情報に基づいて、利用者にとって保有意義のある株式銘柄を推薦することが可能な株式銘柄推薦装置等を提供することである。
【手続補正３】
【補正対象書類名】明細書
【補正対象項目名】００１２
【補正方法】変更
【補正の内容】
【００１２】
前述した目的を達成するために、第１の発明は、株式銘柄に関する属性情報を記憶する第１の記憶手段と、利用者に関する情報を取得する取得手段と、前記利用者に関する情報に含まれる第１の単語を、類義語または派生語に展開し、第２の単語とする展開手段と、前記利用者に関する情報に含まれる場所に関する単語から第１の位置情報を分析する位置情報分析手段と、前記第１の単語、前記第２の単語、および前記第１の位置情報に基づいて、前記第１の記憶手段に記憶されている前記属性情報とのマッチングを行い、マッチした前記株式銘柄を推薦する推薦手段と、を備えることを特徴とする株式銘柄推薦装置である。
第１の発明によって、利用者に関する情報に合った株式銘柄を推薦することができる。
【手続補正４】
【補正対象書類名】明細書
【補正対象項目名】００１７
【補正方法】変更
【補正の内容】
【００１７】
前記利用者に関する情報および、前記推薦手段により推薦された前記株式銘柄を紐付けて記憶する第２の記憶手段をさらに備える。
これにより、利用者に関する情報および推薦した株式銘柄を管理し、のちのマーケティングにつなげることができる。
【手続補正５】
【補正対象書類名】明細書
【補正対象項目名】００１９
【補正方法】変更
【補正の内容】
【００１９】
第２の発明は、株式銘柄に関する属性情報を記憶する記憶手段を備えたコンピュータによる株式銘柄推薦方法であって、利用者に関する情報を取得する取得ステップと、前記利用者に関する情報に含まれる第１の単語を、類義語または派生語に展開し、第２の単語とする展開ステップと、前記利用者に関する情報に含まれる場所に関する単語から位置情報を分析する位置情報分析ステップと、前記第１の単語、前記第２の単語、および前記位置情報に基づいて、前記記憶手段に記憶されている前記属性情報とのマッチングを行い、マッチした前記株式銘柄を推薦する推薦ステップと、を含むことを特徴とする株式銘柄推薦方法である。
第２の発明によって、利用者に関する情報に合った株式銘柄を推薦することができる。
【手続補正６】
【補正対象書類名】明細書
【補正対象項目名】００２０
【補正方法】変更
【補正の内容】
【００２０】
第３の発明は、コンピュータを、株式銘柄に関する属性情報を記憶する記憶手段、利用者に関する情報を取得する取得手段、前記利用者に関する情報に含まれる第１の単語を、類義語または派生語に展開し、第２の単語とする展開手段、前記利用者に関する情報に含まれる場所に関する単語から位置情報を分析する位置情報分析手段、前記第１の単語、前記第２の単語、および前記位置情報に基づいて、前記記憶手段に記憶されている前記属性情報とのマッチングを行い、マッチした前記株式銘柄を推薦する推薦手段、を備える株式銘柄推薦装置として機能させるためのプログラムである。
第３の発明に係るプログラムをコンピュータにインストールすることで、第１の発明に係る株式銘柄推薦装置を得ることができる。
【手続補正７】
【補正対象書類名】明細書
【補正対象項目名】００２１
【補正方法】変更
【補正の内容】
【００２１】
第４の発明は、サーバと端末とがネットワークを介して接続される株式銘柄推薦システムであって、前記サーバは、株式銘柄に関する属性情報を記憶する記憶手段と、前記端末から送信されてきた、利用者に関する情報を受信する受信手段と、前記利用者に関する情報に含まれる第１の単語を、類義語または派生語に展開し、第２の単語とする展開手段と、前記利用者に関する情報に含まれる場所に関する単語から位置情報を分析する位置情報分析手段と、前記第１の単語、前記第２の単語、および前記位置情報に基づいて、前記記憶手段に記憶されている前記属性情報とのマッチングを行い、マッチした前記株式銘柄を推薦する推薦手段と、を備え、前記端末は、前記利用者に関する情報を入力する入力手段と、前記利用者に関する情報を前記サーバに送信し、前記利用者に関する情報に基づいて前記サーバの前記推薦手段により推薦された前記株式銘柄を受信し、表示する表示手段と、を備えることを特徴とする株式銘柄推薦システムである。
第４の発明によって、利用者に関する情報に合った株式銘柄を推薦することができる。
【手続補正８】
【補正対象書類名】明細書
【補正対象項目名】００２２
【補正方法】変更
【補正の内容】
【００２２】
本発明により、利用者に関する情報に基づいて、利用者にとって保有意義のある株式銘柄を推薦することができる。